(57)【要約】【課題】  椅子等に対する位置調整や、その後に行う位置固定が手軽に行えながらも、固定力としては強固なものが得られる新規なヘッドレストを提供する。【解決手段】  本発明のヘッドレスト１は、頭部の支持を直接担うサポート本体２と、このサポート本体２を被取付部ＣＨに設けるためのジョイント部３とを具え、このジョイント部３は、ジョイントボール１３を有するボール部６と、このボールを受け入れるソケット部７とによるボールジョイント機構が採用され、サポート本体２を被取付部ＣＨに対して適宜の範囲で角変位させ適正位置に設定できるようにする一方、調整後の適正位置にヘッドレスト１を固定するにあたっては、関節状の回転すべりを実現するソケット部７の内側からジョイントボール１３を挟持してボールの動きを阻止し、適正位置を維持するようにしたことを特徴とする。【選択図】図１
2006026050.tif 000002
【特許請求の範囲】
【請求項１】
椅子等の被取付部に装着され、着座者の頭部を支える部材であって、
この部材には、頭部の支持を直接担うサポート本体と、このサポート本体を前記被取付部に設けるためのジョイント部とが形成され、
またこのジョイント部には、ジョイントボールを有するボール部と、このジョイントボールを受け入れるソケット部とを具えたボールジョイント機構が適用されるものであり、
サポート本体を被取付部に対して適宜の範囲で角変位させ適正位置に設定できるようにする一方、調整後のヘッドレストの位置を維持固定するにあたっては、関節状の回転すべりを実現するソケット部の内側からジョイントボールを挟持してボールの動きを阻止し、適正位置を維持するようにしたことを特徴とするヘッドレスト。
【請求項２】
前記ソケット部には、対向する二方向からジョイントボールを挟み込む球帯状の当接面が形成され、
ヘッドレストを適正位置に維持固定する際には、ジョイントボールを球帯状の当接面によって挟持してボールの回転すべりを阻止するようにしたことを特徴とする請求項１記載のヘッドレスト。
【請求項３】
前記ソケット部は、パイプ状のソケット本体と、ここに摺動自在に内挿される押圧片とを具えて成り、ジョイントボールは、このソケット本体と押圧片との間に受け入れられるものであり、
またこれらソケット本体と押圧片とには、ジョイントボールを受ける部位に球帯状の当接面が形成されるものであり、
ヘッドレストの位置を調整する際には、ソケット本体と押圧片との両方の当接面によってジョイントボールを回転可能に支持するとともに、
ヘッドレストを適正位置に維持固定する際には、両方の当接面によってジョイントボールを強固に挟み込み、ジョイントボールの回転を阻止するようにしたことを特徴とする請求項１または２記載のヘッドレスト。
【請求項４】
前記ジョイントボールの回転を阻止するにあたっては、ボルトのねじ込みによって押圧片をソケット本体側に押し込み、ジョイントボールを強固に挟持するようにしたことを特徴とする請求項３記載のヘッドレスト。
【請求項５】
前記被取付部は、車椅子の背もたれ部であることを特徴とする請求項１、２、３または４記載のヘッドレスト。
【請求項６】
前記ジョイントボールの挟持方向は、ヘッドレストによる頭部のサポート方向に対し、ほぼ沿うように設定されることを特徴とする請求項１、２、３、４または５記載のヘッドレスト。
【発明の詳細な説明】
【技術分野】
【０００１】
本発明は、車椅子等に取り付けられるヘッドレストに関するものであって、特にこのものの位置合わせが簡便に行え、また一旦決めた適正位置にヘッドレストを容易に且つ確実に固定できる新規なヘッドレストに係るものである。
【背景技術】
【０００２】
例えば車椅子等の椅子には、着座者の頭を後方からサポートし、心地よい適正位置で安定させるためにヘッドレストが設けられることがある。そして、この種のヘッドレストにあっては、椅子に固定されたものも存在するが、着座者自身が着座姿勢を変えることや、背もたれの角度等、椅子の状態を変えること等を考慮して、位置が自在に調整できるものもある。この場合、ヘッドレストは、幾つかの摺動部材や回動部材等を適用して椅子に取り付けられ、位置や角度が適宜変えられるようにしたものが多く、通常、その位置固定にはクランプやネジ等を用いるのが一般的となっていた（例えば特許文献１参照）。
【０００３】
しかしながら、このような手法においては、位置調整に関わる個々の可動部材は、例えば上下摺動のみ、あるいは左右摺動のみ等、単機能を担うものが多く、取り付けに関する部材が多くなるという問題があった。また、このような設計仕様に因み、個々の可動部材に対しては、専用のクランプが設けられることが多く、このため調整したヘッドレストを適正位置に固定するにあたっては、締めるクランプ数も多くなり、作業（操作）に多大な手間と時間を要していた。
また、多くのクランプを要する手法では、例えば一つ目のクランプを締めてヘッドレストの上下位置を固定しても、左右位置を固定する別のクランプを締める際に、既に決めた上下位置が微妙にずれてしまうことも少なくなく、調整した適正位置にヘッドレストをぴったり合わせることが現実には極めて困難であった。
【０００４】
このようなことから、本出願人は、ヘッドレストの位置調整や固定を、より手軽に行うべく、ボールジョイント機構を適用した接続手法を試みた。すなわち、この手法は、ヘッドレストの背面側にジョイントボールを形成するとともに、椅子の背もたれ部等に、このジョイントボールを包み込むソケット部を形成するものであり、ソケット部に収容されたジョイントボールの関節状の回転すべりによって、ヘッドレストを適宜の範囲で角変位させるものである。また、調整後、ヘッドレストを適正位置に固定するには、可動部材を機械的に固定する手段として多く用いられている止めねじ（セットスクリュー）が使用されることが多かった。
【０００５】
しかしながら、このような止めねじによる固定手法には以下のような問題点があった。すなわち、止めねじは基本的にジョイントボールに対し点接触状態に当接してボールの動きを阻むものであるため、一本当たりの固定力としては比較的弱く、このため複数カ所に等配するのが一般的であった。しかしながら、止めねじを複数設けることは、固定や調整の際に、何カ所もねじ止めや緩めが必要になり、その作業が煩雑なものとなっていた。
【０００６】
また、止めねじの場合には、必然的に工具が必要となるため（例えば、すり割り付きねじの場合には、マイナスのねじ回しが必要であり、六角穴付きネジの場合は六角レンチ（六角穴付きねじ用棒スパナ）を要する）、工具を常設することが面倒であった。特にヘッドレストの取付対象が車椅子の場合には、このものが移動するため、工具の常設が必ずしも相応しい形態とは言えなかった。また、車椅子利用者が、介護を要する老人や、身体機能上、自分の意思による頭部支持が行い難い人等である場合には、介護や介助の内容に応じて、頻繁にヘッドレストの適正位置を変える必要があり、工具を必須とした複数カ所の固定操作は、介護者（介助者）にも多大な負担を強いるものとなっていた。
【０００７】
このため、極力工具を用いずに、しかも一回のワンタッチ操作で固定が行える手法として、例えばコレットチャックに類したボールジョイント機構も考えられた。これは、例えば図７に示すように、ソケット部７′に予めスリ割リＳＬを形成しておき、ジョイントボール１３′を受け入れる部位の大きさを適宜変えられるようにしておくととともに、ソケット部７′の外周にはネジＮを設けておき、ヘッドレスト１′を適正位置に固定する際には、このネジＮを締め付けて、ソケット部７′の大きさを狭め、ジョイントボール１３′の動きを止めるものである。
【０００８】
しかしながら、この場合には、ソケット部７′の外周にネジＮを設けるためソケット部７′が大型化し、ジョイント部３′としてのコンパクトさに欠けるという問題があった。
また、このような手法では、ソケット部７′がジョイントボール１３′を保持するチャック力（固定力）が必ずしも充分ではなく、ボールの動きを確実に止められないことがあった。これは、例えば図７の拡大図に示すように、ソケット部７′の内側部分（ボール受入部）を、ジョイントボール１３′と同じ大きさに設計しても、力が掛からない自然状態では、スリ割リＳＬによってソケット部７′が拡がるため、ネジＮの締め付けにより受入部を狭めても、ジョイントボールボール１３′とソケット部７′との間には隙間が形成され易く、このために充分なチャック力が得られないものと考えられる。
このようなことから、手軽に位置固定が行えながらも、確実な固定力が得られる支持機構を有したヘッドレストが望まれていた。
【特許文献１】特開２００１−２９３０３６
【発明の開示】
【発明が解決しようとする課題】
【０００９】
本発明は、このような背景を認識してなされたものであって、椅子等に対する位置調整や、その後に行う位置固定が手軽に行えながらも、固定力としては強固なものが得られる新規なヘッドレストの開発を試みたものである。
【課題を解決するための手段】
【００１０】
すなわち請求項１記載のヘッドレストは、椅子等の被取付部に装着され、着座者の頭部を支える部材であって、この部材には、頭部の支持を直接担うサポート本体と、このサポート本体を前記被取付部に設けるためのジョイント部とが形成され、またこのジョイント部には、ジョイントボールを有するボール部と、このジョイントボールを受け入れるソケット部とを具えたボールジョイント機構が適用されるものであり、サポート本体を被取付部に対して適宜の範囲で角変位させ適正位置に設定できるようにする一方、調整後のヘッドレストの位置を維持固定するにあたっては、関節状の回転すべりを実現するソケット部の内側からジョイントボールを挟持してボールの動きを阻止し、適正位置を維持するようにしたことを特徴として成るものである。
【００１１】
また請求項２記載のヘッドレストは、前記請求項１記載の要件に加え、前記ソケット部には、対向する二方向からジョイントボールを挟み込む球帯状の当接面が形成され、ヘッドレストを適正位置に維持固定する際には、ジョイントボールを球帯状の当接面によって挟持してボールの回転すべりを阻止するようにしたことを特徴として成るものである。
【００１２】
更にまた請求項３記載のヘッドレストは、前記請求項１または２記載の要件に加え、前記ソケット部は、パイプ状のソケット本体と、ここに摺動自在に内挿される押圧片とを具えて成り、ジョイントボールは、このソケット本体と押圧片との間に受け入れられるものであり、またこれらソケット本体と押圧片とには、ジョイントボールを受ける部位に球帯状の当接面が形成されるものであり、ヘッドレストの位置を調整する際には、ソケット本体と押圧片との両方の当接面によってジョイントボールを回転可能に支持するとともに、ヘッドレストを適正位置に維持固定する際には、両方の当接面によってジョイントボールを強固に挟み込み、ジョイントボールの回転を阻止するようにしたことを特徴として成るものである。
【００１３】
また請求項４記載のヘッドレストは、前記請求項３記載の要件に加え、前記ジョイントボールの回転を阻止するにあたっては、ボルトのねじ込みによって押圧片をソケット本体側に押し込み、ジョイントボールを強固に挟持するようにしたことを特徴として成るものである。
【００１４】
また請求項５記載のヘッドレストは、前記請求項１、２、３または４記載の要件に加え、前記被取付部は、車椅子の背もたれ部であることを特徴として成るものである。
【００１５】
また請求項６記載のヘッドレストは、前記請求項１、２、３、４または５記載の要件に加え、前記ジョイントボールの挟持方向は、ヘッドレストによる頭部のサポート方向に対し、ほぼ沿うように設定されることを特徴として成るものである。
【発明の効果】
【００１６】
これら各請求項記載の発明の構成を手段として前記課題の解決が図られる。すなわち請求項１記載の発明によれば、ソケット部の内側からジョイントボールを動かないように挟持してボールを規制するため、位置調整や固定が容易に行えるとともに、ジョイント部分をコンパクトにまとめたヘッドレストが実現できる。
【００１７】
また請求項２記載の発明によれば、ジョイントボールを対向する二方向から球帯状の当接面によって挟むように保持するため、ボールの回転を許容する可動支持状態と、ボールの回転を阻止する固定支持状態とが、挟持力の大きさによって容易に切り替えでき、ボールの固定も確実に行える。
【００１８】
更にまた請求項３記載の発明によれば、適正位置の固定が確実且つ容易に行え、しかもコンパクトにまとめられるボールジョイント機構を有したヘッドレストを具体的なものとする。
【００１９】
また請求項４記載の発明によれば、固定の際、ボルトのねじ込みによって押圧片を押し込むため、高い挟持力が得られ、ジョイントボールの固定つまりヘッドレストの固定を一層確実なものとする。
【００２０】
また請求項５記載の発明によれば、ヘッドレストは車椅子に取り付けられるため、車椅子利用者（着座者）の頭部を適宜の位置に合わせる操作が簡単且つ確実に行える。特に車椅子は、老人や身体的ハンディを持った人あるいは負傷者（患者）等の使用が多く、食事や通常の移動等、作業（行動）に応じて頭部のサポート位置を頻繁に変えなければならないこともあるが、本発明では、このようなサポート位置の変更が極めて容易に行える。また、このため介護者（介助者）の負担も軽減することができる。
【００２１】
また請求項６記載の発明によれば、ジョイントボールの挟持方向と、ヘッドレストの頭部サポート方向とが、ほぼ沿うように設定されるため、ジョイントボールの維持固定が、より一層確実に行える。
【発明を実施するための最良の形態】
【００２２】
本発明の最良の形態は、以下の実施例に述べるとおりである。
【実施例】
【００２３】
本発明のヘッドレスト１は、一例として図１に示すように、例えば椅子ＣＨの背もたれ部ＢＲの上方に取り付けられ、着座者Ｍの後頭部をサポートするものであり、椅子ＣＨへの取り付けは、球面状の回転すべりを実現するボールジョイント機構を採用する。すなわち本発明のヘッドレスト１は、実質的に頭部を支えるサポート本体２と、このサポート本体２を椅子ＣＨ（背もたれ部ＢＲ）等の被取付部ＣＨ（椅子と同様の符号ＣＨを付す）に装着するためのジョイント部３とを具えて成る。そして、このサポート本体２の背面側（頭部サポートに対向する側）にジョイントボール１３を有するボール部６が形成されるとともに、椅子ＣＨ等に、このジョイントボール１３を受け入れるソケット部７が形成され、ボール部６をソケット部７に収容して関節状の回転すべり（いわゆる玉自在継手）を実現し、これによってヘッドレスト１を適宜の範囲内で自在に角変位させるものである。
【００２４】
また本発明のヘッドレスト１は、適宜調整した適正位置をワンタッチ操作で簡単且つ確実に固定（維持）するため、ジョイントボール１３の回転滑りを阻止し適正位置を維持固定するロック部４を具えて成るものである。
なお椅子ＣＨは、図１に示した車椅子に限らず、事務用椅子、安楽椅子（休息椅子）、乗用車等の座席シート、歯科治療等で使用する治療用シート等が適用可能である。因みにヘッドレスト１が装着される被取付部ＣＨは、このような各種の椅子ＣＨが一般的であるが、必ずしも椅子ＣＨに限定されるものではなく、これについては〔他の実施例〕において後述する。
以下、ジョイント部３と、ロック部４とについて説明する。
【００２５】
まずジョイント部３について説明する。ジョイント部３は、関節状もしくは球面状の回転すべりを実現し、ヘッドレスト１の位置調整（角変位）を可能とする部位であり、上述したようにボール部６とソケット部７とを具えて成る。
ボール部６は、一例として図１、２に示すように、上記サポート本体２の背面側に取り付けられるステー１２と、このステー１２の先端部に設けられるジョイントボール１３とを具えて成り、このジョイントボール１３がソケット部７に受け入れられて、関節状の回転すべりを実現する。
一方、ソケット部７は、パイプ状に形成されたソケット本体１７と、この内部に摺動自在に嵌め込まれる押圧片１９とを具えて成り、これらの間にジョイントボール１３を収容するものである。
【００２６】
ソケット本体１７は、押圧片１９との間に受け入れたジョイントボール１３が抜け出ないようにステー１２側が狭められ、ここにボール外周面を受ける当接面１８が形成される。
また、押圧片１９は、中央部が凹んだ断面コの字状に形成されるとともに、ボールと接触する部位に、ボール外周面を受ける当接面２０が形成される。なお、中央部の凹みは周状の当接面２０で均等にジョイントボール１３を受けるとともに、ジョイントボール１３との接触を避けるためである。このためジョイントボール１３にも角変位に支障をきたさない範囲で押圧片１９側が一部切り欠かれている（ここを接触回避部１４とする）。
【００２７】
そして、当接面１８、２０は、どちらも適宜の幅で且つジョイントボール１３とほぼ同程度のＲ面状を有する球帯状に形成され、ボールを挟み込む力を調整することにより、ボールの滑らかな回転すべり（可動支持状態）と、ボールの動きを阻止する維持固定（固定支持状態）とが適宜達成される。すなわち両当接面１８、２０によってジョイントボール１３を対向する二方向から回転許容状態に支持した場合には、ボールの回転すべりによってヘッドレスト１の位置調整が可能となり、対向する二つの当接面１８、２０によってボールを強固に挟み込んでボールの動き（回転すべり）を阻止した場合には、ヘッドレスト１の維持固定（ロック）が可能となる。
【００２８】
言い換えれば、ジョイントボール１３は、例えば図３の模式図に示すように、常時、二枚の板状部材（球帯状の当接面１８、２０に相当）によって、両側から支持された状態となっており、このため図３（ｂ）に示すように、二枚の板状部材によって、ボールを強固に挟み付けた場合には、ボールの回転が阻止され、ヘッドレスト１を適正位置に固定でき、また図３（ａ）に示すように、ボールの強固な挟み付けを解除した場合には、ボールの回転すべりによりヘッドレスト１の位置調整が行えるものである。
【００２９】
次にロック部４について説明する。ロック部４は、ジョイントボール１３の回転を阻み、調整したヘッドレスト１の位置を固定するものであり、本実施例では、押圧片１９をボール側に押し付けることにより、ソケット本体１７の当接面１８と、押圧片１９の当接面２０との間でボールを強固に挟み込み、ボールの回転を阻止するものである。このため、ロック部４は、一例として図１、２に示すように、前記ソケット本体１７に取り付けられる（ここでは螺合）パイプ状のロック部本体３１と、この内部に固定されるナット３２と、このナット３２に嵌め込まれるボルト３３とを具えて成る。すなわち、本実施例では、ボルト３３のねじ込みにより押圧片１９を押し込み、これによってソケット本体１７と押圧片１９との間でボールを強く挟み込むものである。なお、このようなことからボルト３３の後端つまみ部（頭部）には適宜ローレット等を形成しておき、手で容易にねじ込めるようにしておくことが望ましい。なお図１、２に示す実施例では、ボルト３３の後端つまみ部に六角穴を形成しており、六角レンチによる締め込みも行えるようにしている。
【００３０】
このように本実施例では、球帯状の当接面１８、２０によりジョイントボール１３を挟持して、このものの回転を阻むものであり、これによって充分な固定力を得るものであるが、例えば図１に示すように、止めねじＳＣを併用し、ボールの固定（固着）を、より一層強化することも可能である。
なお、本実施例では、ヘッドレスト１の位置を調整する際には、上述したボルト３３を緩め、ボールが当接面１８、２０に接触しながら滑り得る状態として、ボールを回転させる（すべり接触）ものであるが、この際、たとえボルト３３を大幅に緩めてしまっても、ロック部本体３１が、押圧片１９の可動端（摺動端）を規制できるため、例えば押圧片１９の姿勢が大きく変わってしまうことがないものである。
また、図１、２に示す実施例では、ロック部本体３１をソケット本体１７に内嵌めする形態を採っており、これは主にジョイント部分のコンパクト化を目的としたためである。
〔他の実施例〕
【００３１】
本発明は、以上述べた実施例を基本的な技術思想とするものであるが、更に次のような改変が考えられる。すなわち先に述べた実施例は、対向する二方向からジョイントボール１３を球帯状の当接面１８、２０によって挟み込んで支持するものであり、これはボールを挟む強さによって、ボールの回転を許容する可動支持状態と、ボールの回転を阻止する固定支持状態とを実現する点で極めて合理的な支持手法である。しかしながら、ジョイントボール１３の支持形態は、二つの球帯状の当接面１８、２０による挟み込みに限らず、例えば図４に示すように、上記押圧片１９を省略することが可能であり、この場合には、ジョイントボール１３を当接面１８とボルト３３の先端とによって挟持（支持）することになる。なお、このような場合、上記図４に併せて示すように、例えばボルト３３の先端をボール径とほぼ同程度のＲ凹陥状に形成すれば、ボルト３３の先端面がフラットである場合よりも、ボールの支持を安定化させ得るものと考えられる。
【００３２】
また先に述べた基本の実施例では、ボルト３３のねじ込みは、後端つまみ部に形成されたローレットを利用した操作を基本とし、これに六角レンチを使用したねじ込みを適宜行うように説明したが、特に被取付部ＣＨが車椅子である場合には、六角レンチを常備することは車椅子利用者にとって少なからぬ負担となることが考えられる。このため、例えば図５に示すように、ボルト３３には予めクランプレバー３６をピン止めしておき、レバーを折り畳み自在にしておくことも可能である（いわゆるピンレバー）。このようなピンレバータイプのクランプレバー３６をボルト３３に付加した場合には、ボルト締めを行う場合に、クランプレバー３６をボルト３３の軸に対して９０度回動させ、ボルト３３の締め込み（回転）を行えば、大きなトルクが得られ、より一層、固定力の強化が図れるものである。
もちろん、工具を使わずに充分な固定力を得るには、このようなクランプレバー３６に限らず、蝶ボルト等の適用も可能である。
【００３３】
更にまた先に述べた基本の実施例では、ジョイントボール１３を挟持する方向は、着座者Ｍの頭部をサポートする方向（基準軸）にほぼ沿うように設定されるものであり、この場合、パイプ状のロック部本体３１等がヘッドレスト１の後方に張り出すことは否めない。しかしながら、例えばヘッドレスト１を乗用車の座席シート等に取り付ける場合には、後方側に人が座るため、このような後方張出は必ずしも好ましくない。従って、このような場合には、例えば図６に示すように、ジョイントボール１３の挟持方向を、頭部のサポート方向（基準軸）に対して、ほぼ直角に設定することが可能である。すなわち、このような支持形態を採る場合、ヘッドレスト１の基準位置は、ほぼ水平方向となり、ジョイントボール１３の挟持方向は、ほぼ鉛直となる。
【００３４】
また先に述べた基本の実施例では、椅子ＣＨへの装着が一般的であることに因み、ヘッドレスト１を椅子ＣＨに取り付ける形態を示したが、ヘッドレスト１は、必ずしも椅子ＣＨに装着する必要はない。例えば車椅子に予めヘッドレスト１が設けられることは少なく、多くは後付け（いわゆるオプション）により設けられるものである。そして、近時、このような車椅子とともに着座者Ｍを自動車に載せて搬送するケースが多くなってきており、このような場合には、自動車側、例えば車体や、車椅子を昇降させる台、あるいは車椅子を車内に固定する台等から、適宜中間部材を介在させて、本発明のヘッドレスト１を取り付けることも可能である。
また通常は患者等がフラット状態で使用するベッドにあっても、例えばこれを起こして、あたかも椅子として使用する場合等にあっては、患者がベッド上に座る際に、本発明のヘッドレスト１を取り付けることが可能である。なお、本明細書の請求項１に記載した「被取付部」とは、各種の椅子ＣＨを始めとして、上述したように車椅子を載せる固定台や昇降台、あるいは椅子様の使用が考えられるリクライニング式のベッド等を広義的に含むものである。
【図面の簡単な説明】
【００３５】
【図１】本発明のヘッドレストを車椅子に取り付けた状態を示す説明図（ａ）、並びにこのヘッドレストのジョイント部とロック部との内部構造を拡大して示す斜視図（ｂ）である。
【図２】本発明のヘッドレストを示す半断面図である。
【図３】対向する球帯状の当接面によってジョイントボールの回転を許容する可動支持状態と、ジョイントボールの回転を阻止する固定支持状態とを模式的に示す斜視図である。
【図４】球帯状の当接面とボルト先端とによってジョイントボールを挟み込んでボールの固定支持を行うようにした他の実施例を示す説明図である。
【図５】押圧片を押し込むボルトの後端に操作用のクランプレバーをピン止めした他の実施例を示す斜視図である。
【図６】ジョイントボールの挟持方向と、ヘッドレストの頭部サポート方向とを異ならせた他の実施例を示す説明図である。
【図７】コレットチャック式に類したボールジョイント機構の問題点を示す説明図である。
【符号の説明】
【００３６】
１      ヘッドレスト
２      サポート本体
３      ジョイント部
４      ロック部
６      ボール部
７      ソケット部
１２    ステー
１３    ジョイントボール
１４    接触回避部
１７    ソケット本体
１８    当接面
１９    押圧片
２０    当接面
３１    ロック部本体３１
３２    ナット
３３    ボルト
３６    クランプレバー
ＢＲ    背もたれ部
ＣＨ    被取付部（椅子）
Ｍ      着座者
Ｎ      ネジ
ＳＣ    止めねじ
ＳＬ    スリ割リ
【図１】
2006026050.tif 000003
【図２】
2006026050.tif 000004
【図３】
2006026050.tif 000005
【図４】
2006026050.tif 000006
【図５】
2006026050.tif 000007
【図６】
2006026050.tif 000008
【図７】
2006026050.tif 000009